Podtech/llm-jp-corpus-v4-ja_patent huggingface dataset:
【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】
少なくとも部分的にユーザ機器上で実現された双方向媒体アプリケーションを用いて、一時停止された媒体の代わりに一時停止時間のコンテンツを代用する方法であって、
該方法は、
該ユーザ機器上の一時停止時間のコンテンツデータベースであって、ユーザにローカルな複数の一時停止時間のコンテンツを格納する一時停止時間のコンテンツデータベースを提供することと、
該媒体を一時停止する能力を該ユーザに提供することと、
該媒体を一時停止することと、
該媒体が一時停止されている間に、該一時停止時間のコンテンツデータベースに格納された該複数の一時停止時間のコンテンツのうちのどの一時停止時間のコンテンツを表示するかを、該ユーザにローカルに自動的に決定することと、
該一時停止時間のコンテンツデータベースから、該決定された一時停止時間のコンテンツを自動的に取り出すことと、
該媒体が一時停止されている間に、該自動的に取り出された一時停止時間のコンテンツを再生することと、
該媒体が一時停止されている間に、該媒体を記録することと
を包含する、方法。
【請求項２】
前記媒体が一時停止された点と実質的に同じ点で該一時停止された媒体の再生を再開する能力を前記ユーザに提供することをさらに包含する、請求項１に記載の方法。
【請求項３】
前記媒体を巻戻しする能力を前記ユーザに提供することと、
該媒体を早送りする能力を該ユーザに提供することと
をさらに包含する、請求項２に記載の方法。
【請求項４】
前記決定された一時停止時間のコンテンツは、一時停止された前記媒体に関連付けられる、請求項１に記載の方法。
【請求項５】
前記一時停止時間のコンテンツを個人化する能力を前記ユーザに提供することをさらに包含する、請求項１に記載の方法。
【請求項６】
再生されている前記一時停止時間のコンテンツを変更する能力を前記ユーザに提供することをさらに包含する、請求項１に記載の方法。
【請求項７】
双方向テレビジョンアプリケーションを用いて、一時停止された媒体の代わりに一時停止時間のコンテンツを代用する方法であって、
該方法は、
媒体を再生することであって、該媒体は、テレビ番組か、ビデオオンデマンド番組か、ニアビデオオンデマンド番組か、音楽番組かであり、該媒体は、特定の一時停止時間のコンテンツに対する識別子を有している、ことと、
該媒体の再生を一時停止するためのユーザ一時停止コマンドに応答して、該媒体を一時停止することと、
該媒体が一時停止されていることに応答して、該識別子に基づいて、一時停止時間のコンテンツデータベースから該一時停止時間のコンテンツを取り出すことと、
該媒体が一時停止されている間に、該媒体の代わりに該一時停止時間のコンテンツを代用することにより、該取り出された一時停止時間のコンテンツを再生することと
を包含する、方法。
【請求項８】
前記媒体が一時停止されている間に、該媒体を記録することをさらに包含する、請求項７に記載の方法。
【請求項９】
前記媒体が、リアルタイム媒体、例えばビデオオンデマンド媒体またはニアビデオオンデマンド媒体であるか、または、
該媒体が、以前に記録された媒体である、請求項７に記載の方法。
【請求項１０】
前記一時停止時間のコンテンツは、インタラクティブである、請求項７に記載の方法。
【請求項１１】
前記双方向テレビジョンアプリケーションによって提示される特定の種類の一時停止時間のコンテンツを選択する能力をユーザに提供することをさらに包含する、請求項７に記載の方法。
【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】
記録済番組の再生に基づいて視聴規模情報を測定するシステムであって、
該記録済番組の再生の印を複数の視聴メンバーから受信する手段と、
該複数の視聴メンバーから該印を受信することに応答して、該記録済番組に関する視聴規模情報を更新する手段と、
双方向テレビアプリケーションの少なくとも一人のユーザに該更新された視聴規模情報を提供する手段と
を備える、システム。
【請求項２】
ユーザが特定したアクションに関する印を受信する手段であって、該アクションは、前記記録済番組がどのように再生されるかを制御する、手段と、
該印を受信することに応答して、該ユーザが特定したアクションを実行する手段と、
該ユーザが特定したアクションに基づいて、視聴規模情報を更新する手段と
をさらに備える、請求項１に記載のシステム。
【請求項３】
双方向テレビアプリケーションにおいて、番組リストを用いて視聴規模情報を提供するシステムであって、
１つ以上の番組項目にアクセスすることをユーザが所望するという印を該ユーザから受信する手段と、
該１つ以上の番組項目のうちの少なくとも１つに対応する番組について視聴規模情報を計算する手段であって、該計算は、複数の視聴メンバーによって実行された複数のアクションのうちのそれぞれに対して所定の量のポイントを割り当てる格付けアプローチに基づく、手段と、
該印に応答して該１つ以上の番組項目を提供する手段であって、該１つ以上の番組項目のうちの少なくとも１つは、番組項目に対応する番組に関する視聴規模情報を含む、手段と
を備える、システム。
【請求項４】
双方向アプリケーションにおいて、今後の番組に関する視聴規模情報を測定するシステムであって、
該今後の番組に関するアクションを実行するための複数の視聴メンバーからの印を受信する手段と、
該印を受信することに応答して、該今後の番組に関する視聴規模情報を更新する手段と、
双方向テレビアプリケーションの少なくとも一人のユーザに該視聴規模情報を提供する手段と
を備える、システム。
【請求項５】
前記視聴規模情報を更新する手段は、前記複数の視聴メンバーが前記今後の番組に関する番組情報を見た回数と、該複数の視聴メンバーが該今後の番組を購買した回数と、該複数の視聴メンバーが該今後の番組に関するリマインダを設定した回数と、該複数の視聴メンバーが該今後の番組を記録することを予定した回数とからなる群からの前記印のうちの少なくとも１つに基づいて、該視聴規模情報を更新する手段をさらに備える、請求項４に記載のシステム。
【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】
番組が記録されるときにカットオフを低減する記録システムにおける使用のための方法であって、
該方法は、
予定された番組についての時間変更情報を提供することと、
該時間変更情報に基づいた時間変更を補償するように該番組を記録することと
を包含する、方法。
【請求項２】
前記時間変更情報は、予想された時間遅延を含み、該予想された時間遅延は、以前にログされた時間変更に基づいている、請求項１に記載の方法。
【請求項３】
前記時間変更を補償するように、記録開始時間か、記録終了時間か、記録開始時間と記録終了時間の両方かを自動的に選択することをさらに包含する、請求項１に記載の方法。
【請求項４】
番組が記録されるときにカットオフを低減する記録システムであって、
該記録システムは、
予定された番組についての時間変更情報を受信するように構成される制御回路と、
該制御回路に応答する媒体記録デバイスであって、該時間変更情報に基づいた時間変更を補償するように該番組を記録するように構成される媒体記録デバイスと
を備える、記録システム。
【請求項５】
前記時間変更情報は、予想された時間遅延を含み、該予想された時間遅延は、以前にログされた時間変更に基づいている、請求項４に記載のシステム。
【請求項６】
前記制御回路は、前記時間変更を補償するように、記録開始時間か、記録終了時間か、記録開始時間と記録終了時間の両方かを自動的に選択するように動作可能である、請求項４に記載のシステム。
【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  神経毒を含んで成る、甲状腺疾患治療薬。
【請求項２】  患者の甲状腺に投与される請求項1に記載の治療薬。
【請求項３】  甲状腺疾患が甲状腺機能低下症である請求項2に記載の治療薬。
【請求項４】  甲状腺を神経支配する交感神経節に神経毒に投与される請求項1に記載の治療薬。
【請求項５】  甲状腺疾患が甲状腺機能亢進症である請求項4に記載の治療薬。
【請求項６】  神経毒は約10−3U／kg〜約35U／kgの量で投与される請求項1に記載の治療薬。
【請求項７】  神経毒はクロストリジウム属細菌によって作製されたものである請求項1に記載の治療薬。
【請求項８】  神経毒がボツリヌス毒素である請求項1に記載の治療薬。
【請求項９】  ボツリヌス毒素が、ボツリヌス毒素A、B、C1、D、E、FおよびG型から成る群から選択される請求項8に記載の治療薬。
【請求項１０】  神経毒がボツリヌス毒素A型である請求項8に記載の治療薬。
【請求項１１】  治療に有効な量のボツリヌス毒素を含んで成る、甲状腺疾患治療薬。
【請求項１２】  ボツリヌス毒素が、ボツリヌス毒素A、B、C1、D、E、FおよびG型から成る群から選択される請求項11に記載の治療薬。
【請求項１３】  治療に有効な量のボツリヌス毒素を含んで成り、甲状腺に局所投与された場合、甲状腺細胞からの欠乏甲状腺ホルモン分泌を増加させて甲状腺機能低下症を治療する薬剤。
【請求項１４】  ボツリヌス毒素が、ボツリヌス毒素A、B、C1、D、E、FおよびG型から成る群から選択される請求項13に記載の薬剤。
【請求項１５】  治療に有効な量のボツリヌス毒素を含んで成り、甲状腺細胞を神経支配する交感神経節に局所投与された場合、甲状腺細胞からの過剰甲状腺ホルモン分泌を減少させて甲状腺機能亢進症を治療する薬剤。
【請求項１６】  ボツリヌス毒素が、ボツリヌス毒素A、B、C1、D、E、FおよびG型から成る群から選択される請求項15に記載の薬剤。
【請求項１７】  治療に有効な量のボツリヌス毒素を含んで成り、甲状腺C細胞に局所投与された場合、甲状腺C細胞からの欠乏カルシトニン分泌を増加させて高カルシウム血症を治療する薬剤。
【請求項１８】  ボツリヌス毒素が、ボツリヌス毒素A、B、C1、D、E、FおよびG型から成る群から選択される請求項17に記載の薬剤。
【請求項１９】  治療に有効な量のボツリヌス毒素を含んで成り、甲状腺C細胞を神経支配する交感神経節に局所投与された場合、甲状腺C細胞からの過剰カルシトニン分泌を減少させて低カルシウム血症を治療する薬剤。
【請求項２０】  ボツリヌス毒素が、ボツリヌス毒素A、B、C1、D、E、FおよびG型から成る群から選択される請求項19に記載の薬剤。
【手続補正２】
【補正対象書類名】明細書
【補正対象項目名】０００１
【補正方法】変更
【補正の内容】
【０００１】
（技術分野）
本発明は、甲状腺疾患の治療用薬剤に関する。本発明は特に、患者に神経毒を投与することによって甲状腺疾患を治療する方法に使用される薬剤に関する。
【手続補正書】
【提出日】平成20年4月2日(2008.4.2)
【手続補正１】
【補正対象書類名】明細書
【補正対象項目名】００３０
【補正方法】変更
【補正の内容】
【００３０】
ｖ)適当な混合モノ、ジ、トリグリセリドは、既知であり、Gattefosseから商品名Maisine(登録商標)の名で入手可能なものである。それらはトウモロコシ油とグリセロールのエステル交換産物である。このような産物は、主にリノレン酸およびオレイン酸モノ、ジおよびトリグリセリドを少量のパルミチン酸およびステアリン酸モノ、ジおよびトリグリセリドと共に含む(トウモロコシ油それ自体は約５６重量％のリノレン酸、３０％のオレイン酸、約１０％のパルミチン酸および約２％のステアリン酸組成から成る)、物理的特徴は：遊離グリセロール最大１０％、モノグリセリド約４０％、ジグリセリド約４０％、トリグリセリド約１０％、遊離オレイン酸含量約１％である。更なる物理的特徴は：酸価最大２、８５−１０５のヨウ素価、１５０−１７５の鹸化価、無機酸含量＝０である。Maisine(登録商標)の脂肪酸組成は、典型的に：パルミチン酸約１１％、ステアリン酸約２.５％、オレイン酸約２９％、リノレン酸約５６％、その他約１.５％である(H. Fiedler, 上掲, vol 2, 958頁；製造者の情報)。
【手続補正２】
【補正対象書類名】明細書
【補正対象項目名】００４３
【補正方法】変更
【補正の内容】
【００４３】
本明細書で使用する“半固体または固体”なる用語は、各々、例えば、３０℃以上から約４０℃(半固体)または４０℃以上(固体)の融点を有する界面活性剤を意味すると理解される。
【手続補正３】
【補正対象書類名】明細書
【補正対象項目名】００５１
【補正方法】変更
【補正の内容】
【００５１】
vi)アルキル硫酸およびスルホン酸ナトリウム、およびアルキルアリールスルホン酸ナトリウム、例えば、ラウリル硫酸ナトリウムであり、これはまたドデシル硫酸ナトリウムとしても既知であり、例えば、商品名Texapon K12(登録商標)の下、Henkel KGaAから商品として入手可能である。
【手続補正４】
【補正対象書類名】明細書
【補正対象項目名】００７９
【補正方法】変更
【補正の内容】
【００７９】
本発明の更なる態様において、水性媒体での希釈後、例えば、５０nmから２０００nmの、医薬の、例えば、固体の粒子の、粒子系が、例えば、上記のエマルジョンまたはマイクロエマルジョンに加えて形成される。
【手続補正５】
【補正対象書類名】明細書
【補正対象項目名】００８３
【補正方法】変更
【補正の内容】
【００８３】
更なる別の態様において、界面活性剤は組成物の総重量の２０から９０重量％、好ましくは３０から８０重量％、より好ましくは４０から７０重量％含まれ得る。
【手続補正６】
【補正対象書類名】明細書
【補正対象項目名】００８８
【補正方法】変更
【補正の内容】
【００８８】
更に別の態様において、本発明は、可溶化剤および医薬が、例えば、以下の段階：(ｉ)医薬を可溶化、例えば親油性成分に溶解する；(ii)段階（ｉ)で得た溶液と、適当な、例えば、有機溶媒中のポリマーの溶液を混合する；(iii)ポリマー、可溶化、例えば親油性成分および医薬を含む単相系を、例えば、緩衝化ゼラチン溶液と共にミキサーに運搬し、例えば、ｏ／ｗエマルジョンを形成させる；(iv)溶媒蒸発により微粒子を硬化し、賦形剤除去のために洗浄し、微粒子を入れること、を含む工程に従い、ポリマーマトリックスにカプセル封入されている、本発明の組成物を提供する。例えば、最終微粒子粉末の流動性を増加させるために、得られた微粒子を、更に、担体、例えばラクトースの水性溶液を添加し、得られた懸濁液を凍結乾燥し、流動可能粉末を得ることにより後処理し得る。
【手続補正書】
【提出日】平成20年3月6日(2008.3.6)
【手続補正１】
【補正対象書類名】明細書
【補正対象項目名】発明の名称
【補正方法】変更
【補正の内容】
【発明の名称】ブタン酸ナフトアミド化合物
【手続補正２】
【補正対象書類名】明細書
【補正対象項目名】特許請求の範囲
【補正方法】変更
【補正の内容】
【特許請求の範囲】
【請求項１】  式
【化１】
2003530381.tif 000001
（式中、Ｒ1は、−ＯＲ6、−ＮＲ6Ｒ7、−ＮＯＣ1-6アルキル又は−ＮＲ7ＮＲ6Ｒ7であり；
Ｒ2は、−ＯＲ6又はＣ1-12アルキルであり；
Ｒ3は、Ｈ、ハロゲン、−ＯＲ7又は−ＣＮであり；
Ｒ4は、Ｈ、Ｃ1-6アルキル又は−ＯＲ7であり；
Ｒ5は、Ｈ又はＣ1-6アルキルであり；
Ｒ6は、各場合、独立してＨ、Ｃ1-6アルキル、Ｒ7ＯＣ1-6アルキル−、Ｒ7ＯＣ(＝Ｏ)Ｃ1-6アルキル−、Ｒ7Ｒ7ＮＣ(＝Ｏ)Ｃ1-6アルキル−、Ｒ7Ｒ7ＮＣ1-6アルキルＮＲ7Ｃ(＝Ｏ)−、Ｒ8−、Ｒ8Ｃ1-6アルキル−又は−（ＣＨ2)mフェニルであり、ここでフェニルは、Ｃ1-6アルキルチオ、Ｃ1-6アルキルスルフィニル、Ｃ1-6アルキルスルホニル、トリフルオロメチルチオ、トリフルオロメチルスルフィニル、Ｃ1-6アルカンスルホンアミド、Ｃ1-6アルカノイル、Ｃ1-6アルコキシ−カルボニル、スクシンアミド、カルバモイル、
Ｃ1-6アルキルカルバモイル、ジ−Ｃ1-6アルキルカルバモイル、Ｃ1-6アルコキシ−Ｃ1-6アルキルカルバモイル、Ｎ−メチルカルバモイル、Ｃ1-6アルカノイルアミノ、ウレイド、Ｃ1-6ウレイド、ジ−Ｃ1-6アルキルウレイド、アミノ、Ｃ1-6アルキルアミノ及びジ−Ｃ1-6アルキルアミノから選ばれる１、２又は３個の置換基によって置換されており；
Ｒ7は、各場合、独立してＨもしくはＣ1-6アルキルであるか；又は、Ｒ6及びＲ7は、一緒になって−（ＣＨ2)2Ｏ(ＣＨ2)2−、−（ＣＨ2)2Ｓ(＝Ｏ)m(ＣＨ2)2−、−（ＣＨ2）2Ｎ(ＣＯ2Ｒ7)(ＣＨ2)2−又は−（ＣＨ2）2ＮＲ7(ＣＨ2)2−であり；
Ｒ8は、１、２又は３個の窒素原子を含み、そしてさらに０又は１個のオキソ基で置換された５又は６員の飽和又は不飽和の複素環であり；
ｍは、各場合、独立して０、１又は２であり；そして、
Ｘ1及びＸ2は、独立してＨ、−ＣＨ3又はハロゲンである）を有する化合物又はその医薬上許容しうる塩。
【請求項２】  Ｘ1及びＸ2がＨ又はハロゲンであり、そしてＸ1及びＸ2の少なくとも一つはハロゲンである請求項１記載の化合物。
【請求項３】  Ｒ1が−ＯＲ6である請求項１記載の化合物。
【請求項４】  Ｒ1が−ＮＲ6Ｒ7である請求項１記載の化合物。
【請求項５】  Ｒ2が−ＣＨ2ＣＨ3又は−ＯＣＨ3であり；Ｒ3は−ＣＮであり；Ｒ5はＨである、請求項１記載の化合物。
【請求項６】  Ｒ1が、−ＯＲ6又は−ＮＲ6Ｒ7であり；
Ｒ2は、−ＯＲ6又はＣ1-12アルキルであり；
Ｒ3は、Ｈ、ハロゲン又は−ＣＮであり；
Ｒ4は、Ｈ、Ｃ1-6アルキル又は−ＯＲ7であり；
Ｒ5は、Ｈ又はＣ1-6アルキルであり；
Ｒ6は、各場合、独立してＨ、Ｃ1-6アルキル又は−（ＣＨ2)mフェニルであり、ここで、フェニルは、Ｃ1-6アルキルチオ、Ｃ1-6アルキルスルフィニル、Ｃ1-6アルキルスルホニル、トリフルオロメチルチオ、トリフルオロメチルスルフィニル、Ｃ1-6アルカンスルホンアミド、Ｃ1-6アルカノイル、Ｃ1-6アルコキシ−カルボニル、スクシンアミド、カルバモイル、Ｃ1-6アルキルカルバモイル、ジ−Ｃ1-6アルキルカルバモイル、Ｃ1-6アルコキシ−Ｃ1-6アルキルカルバモイル、Ｎ−メチルカルバモイル、Ｃ1-6アルカノイルアミノ、ウレイド、Ｃ1-6ウレイド、ジ−Ｃ1-6アルキルウレイド、アミノ、Ｃ1-6アルキルアミノ及びジ−Ｃ1-6アルキルアミノから選ばれる１、２又は３個の置換基で置換されており；
Ｒ7は、Ｈ又はＣ1-6アルキルであり；
ｍは、０、１又は２であり；そして
Ｘ1及びＸ2は、独立してＨ、−ＣＨ3又はハロゲンである、請求項１記載の化合物又はその医薬上許容しうる塩。
【請求項７】  Ｘ1及びＸ2がＨ又はハロゲンであり、そしてＸ1及びＸ2の少なくとも一つがハロゲンである請求項６記載の化合物。
【請求項８】  Ｒ1が−ＯＲ6である請求項７記載の化合物。
【請求項９】  Ｒ1が−ＮＲ6Ｒ7である請求項７記載の化合物。
【請求項１０】  Ｒ3が−ＣＮである請求項７記載の化合物。
【請求項１１】  Ｒ5がＨである請求項７記載の化合物。
【請求項１２】  Ｒ2が−ＣＨ2ＣＨ3又は−ＯＣＨ3である請求項７記載の化合物。
【請求項１３】  請求項１〜１２のいずれか一項記載の化合物を含む医薬組成物。
【請求項１４】  請求項１〜７のいずれか一項記載の化合物を含有する、主要うつ病性障害、重度不安障害、ストレス障害、不安を伴う主要うつ病性障害、摂食障害、双極性障害、全般的な及び特異的な渇望、物質乱用障害、精神分裂障害、精神障害、運動障害、認知障害、うつ病及び／又は不安、躁病又は軽躁病、攻撃的行動、肥満症、嘔吐、慢性関節リウマチ、アルツハイマー病、癌、水腫、アレルギー性鼻炎、炎症、痛み、胃腸の自発運動過剰、ハンチントン病、ＣＯＰＤ、高血圧症、偏頭痛、膀胱の自発運動過剰又はじん
ま疹の治療のための医薬。
【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】  生物体における糖化最終生成物または架橋タンパク質を開裂するための医薬組成物であって、前記組成物は、前記生物体に化合物または前記化合物の医薬的に許容可能な塩の有効量を含み、前記化合物は、
L-ビス-[4-(4-クロロベンズアミドフェノキシイソブチリル)シスチン]、
4-(3,5-ジクロロフェニルウレイド)フェノキシイソブチリル-1-アミドシクロヘキサン-l-カルボン酸、
メチレンビス[4,4'-(2-クロロフェニルウレイドフェノキシイソ酪酸)]、
1,1-ジメチルビグアニド、および
5-アミノサリチル酸
からなる群から選択される、前記組成物。
【請求項２】  生物体における老化の有害作用を逆転させるための医薬組成物であって、前記作用は、糖化最終生成物の形成またはタンパク質の架橋であり、前記組成物は、前記生物体に化合物または前記化合物の医薬的に許容可能な塩の有効量を含み、前記化合物は、
L-ビス-[4-(4-クロロベンズアミドフェノキシイソブチリル)シスチン]、
4-(3,5-ジクロロフェニルウレイド)フェノキシイソブチリル-1-アミドシクロヘキサン-l-カルボン酸、
メチレンビス[4,4'-(2-クロロフェニルウレイドフェノキシイソ酪酸)]、
1,1-ジメチルビグアニド、および
5-アミノサリチル酸
からなる群から選択される、前記組成物。
【請求項３】  糖尿病に起因する合併症を逆転させるための医薬組成物であって、前記合併症は、糖化最終生成物の形成またはタンパク質の架橋に起因するものであり、前記組成物は、前記生物体に化合物または前記化合物の医薬的に許容可能な塩の有効量を投与することを含み、前記化合物は、
L-ビス-[4-(4-クロロベンズアミドフェノキシイソブチリル)シスチン]、
4-(3,5-ジクロロフェニルウレイド)フェノキシイソブチリル-1-アミドシクロヘキサン-l-カルボン酸、
メチレンビス[4,4'-(2-クロロフェニルウレイドフェノキシイソ酪酸)]、
1,1-ジメチルビグアニド、および
5-アミノサリチル酸
からなる群から選択される、前記組成物。
【請求項４】  患者における慢性関節リウマチ、アルツハイマー病、尿毒症、神経毒性、またはアテローム性動脈硬化症の進行を逆転させるための医薬組成物であって、前記組成物は、前記生物体に化合物または前記化合物の医薬的に許容可能な塩の有効量を投与することを含み、前記化合物は、
L-ビス-[4-(4-クロロベンズアミドフェノキシイソブチリル)シスチン]、
4-(3,5-ジクロロフェニルウレイド)フェノキシイソブチリル-1-アミドシクロヘキサン-l-カルボン酸、
メチレンビス[4,4'-(2-クロロフェニルウレイドフェノキシイソ酪酸)]、
1,1-ジメチルビグアニド、および
5-アミノサリチル酸
からなる群から選択される、前記組成物。
【手続補正書】
【提出日】平成20年4月9日(2008.4.9)
【手続補正１】
【補正対象書類名】明細書
【補正対象項目名】特許請求の範囲
【補正方法】変更
【補正の内容】
【特許請求の範囲】
【請求項１】  気道疾患治療のための吸入に適した医薬を含む乾燥粉末吸入剤において、前記医薬は、質量平均空気力学的直径が３０μｍ未満のミクロ粒子の形態のグリコピロレートを含む乾燥粉末であり、前記乾燥粉末は、また大型の担体粒子を含み、かつ前記乾燥粉末吸入剤は５ｍｇ未満のグリコピロレートを含む１単位用量を製剤可能であり、前記医薬は、ミクロ粒子を形成するための製剤学的に許容し得る疎水性物質と共にグリコピロレートを製剤化することにより得ることができ、前記ミクロ粒子は、前記大型の担体粒子と共に製剤化されることを特徴とする乾燥粉末吸入剤。
【請求項２】  前記医薬は、グリコピロレート以外の治療剤を含まない請求項１記載の乾燥粉末吸入剤。
【請求項３】  前記医薬は、β２−アゴニスト、ステロイド、粘液溶解剤、ＭＭＰインヒビター、ロイコトリエン、抗生物質、抗腫瘍剤、ペプチド、鎮咳剤、ニコチン、クロモグリク酸ナトリウム、ＰＤＥ４インヒビター、およびエラスターゼインヒビターから選択される治療剤を含有してなる請求項１記載の乾燥粉末吸入剤。
【請求項４】  前記大型の担体粒子は、９０μｍを超える質量平均空気力学的直径を有するラクトース粒子である請求項１ないし３のいずれかに記載の乾燥粉末吸入剤。
【請求項５】  該疎水性物質は、ステアリン酸マグネシウムである請求項４記載の乾燥粉末吸入剤。
【請求項６】  前記１単位用量は、１ｍｇ未満のグリコピロレートを含む請求項１ないし５のいずれかに記載の乾燥粉末吸入剤。
【請求項７】  気道疾患治療のための乾燥粉末吸入剤から５ｍｇ未満のグリコピロレートを含む医薬の１単位用量を製剤化することによる、請求項１記載の医薬を製造するためのグリコピロレートの使用。
【請求項８】  該疾患が喘息である請求項７記載の使用。
【請求項９】  該疾患が嚢胞性線維症である請求項７記載の使用。
【請求項１０】  該疾患が慢性閉塞性肺疾患（ＣＯＰＤ）である請求項７記載の使用。
【請求項１１】  該疾患が共同性ＣＯＰＤと関連する肺癌である請求項７記載の使用。
【請求項１２】  請求項７記載の医薬は、請求項２ないし６のいずれかに記載の医薬である請求項７ないし１１のいずれかに記載の使用。
【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】
【請求項１】  骨鉱物置換材料組成物の流動性を改善する為に、当該組成物の全重量に対して10重量％未満の濃度で、生物学的に適合する油がセメント粉との混合物となっていることを特徴とする、無機物の骨セメント粉及び生物学的に適合する当該油を含んで成る注射可能な骨鉱物置換材料組成物。
【請求項２】  骨鉱物置換材への前記組成物の硬化の後に、ある時間に渡って、生物学的活性を有する物質が生物学的に適合する油から放出されるようにその中で溶解され、分散され又は乳化されていることを特徴とする、請求項１記載の組成物。
【請求項３】  生物学的活性を有する物質が、単独又は組み合わせにおいて、抗酸化剤、ビタミン、ホルモン、抗生物質、細胞増殖抑制性、ビスフォスフォネート、成長因子、又はタンパク質であることを特徴とする、請求項２記載の組成物。
【請求項４】  前記抗酸化剤及び生物学的に適合する油が、ビタミンＥであることを特徴とする、請求項２又は３記載の組成物。
【請求項５】  前記ビタミンＥが、α-トコフェノールであることを特徴とする、請求項４記載の組成物。
【請求項６】  前記ホルモンが、オキシトシンであることを特徴とする、請求項３記載の組成物。
【請求項７】  前記ホルモンが、成長ホルモンであることを特徴とする、請求項３記載の組成物。
【請求項８】  前記生物学的活性を有する物質が、0.05-10重量％の硬化した前記骨鉱物置換材料を含んで成ることを特徴とする、請求項２−７記載のいずれか１項記載の組成物。
【請求項９】  前記生物学的に適合する油が、単独又は組み合わせにおいて、綿種油、亜麻仁油、ひまわり油、オリーブ油、大豆油、メイズ油、アーモンド油、ピーナッツ油、やし油、鯨油、又は骨油であることを特徴とする、請求項１−３記載のいずれか１項記載の組成物。
【請求項１０】  前記セメント粉が、単独又は組み合わせにおいて、硫酸カルシウム粉、ヒドロキシルアパタイト粉、又はリン酸カルシウム粉であることを特徴とする、請求項１−９記載のいずれか１項記載の組成物。
【請求項１１】  骨鉱物置換材が、硬化されたペレット、小ビーズ、棒又はブロックであることを特徴とする、請求項１−１０記載のいずれか１項記載の組成物から調製された骨鉱物置換材。
【請求項１２】  非生体吸収性又は生体吸収性材料の糸上で束ねられる骨鉱物置換材であることを特徴とする、請求項１１記載の骨鉱物置換材。
【請求項１３】  前記生体吸収性材料が、ポリラクチド又はポリグリコールであることを特徴とする、請求項１２記載の骨鉱物置換材。
【請求項１４】  前記油が、組成物全重量の10重量％未満を占め、当該油が、前記移植材料の粉と温度30℃から120℃の間で混合されることを特徴とする、移植材料の粉及び生物学的に適合する油を混合して組成物にする方法。
【請求項１５】  前記油が、移植材料の粉と温度50℃から90℃の間で混合されることを特徴とする、請求項１４記載の方法。
【請求項１６】  前記油が、回転により移植材料の粉と混合されることを特徴とする、請求項１４又は１５記載の方法。
【請求項１７】  前記セメント粉が、当該セメント粉の総重量の６０重量％の硫酸カルシウム半水和物と硫酸カルシウム二水和物との混合物、ここで当該硫酸カルシウム二水和物は当該セメント粉の総重量の０．１〜１０％である、及び当該セメント粉の総重量の４０重量％のヒドロキシルアパタイトを含む、請求項１０に記載の組成物。
【手続補正書】
【提出日】平成20年2月8日(2008.2.8)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2003530368.tif 000001
［式中、Ｒ１は少なくとも一つの分枝を有するＣ４〜Ｃ２２−アルキルであり、
Ｒ２はＣ３〜Ｃ４−アルキルであり、
Ｒ５はＣ１〜Ｃ４−アルキルであり、
Ｒ６はメチルまたはエチルであり、
ｎは平均値１〜５０であり、
ｍは平均値０〜２０であり、
ｒは平均値０〜５０であり、
ｓは平均値０〜５０であり、その際、Ｒ５がメチルまたはエチルであるか、あるいはｒが０である場合には、ｍは少なくとも０．５である］のアルコールアルコキシレート、または一般式（Ｉ）の少なくとも一つのアルコールアルコキシレート  ２０〜９５質量％と、Ｒ１が同数の炭素原子を有する非分枝のアルキル基である、相当するアルコールアルコキシレート  ５〜８０質量％との混合物。
【請求項２】  Ｒ５がメチルである、請求項１に記載のアルコールアルコキシレートまたは混合物。
【請求項３】  ｎが平均値  ４〜１５を有する、請求項１または２に記載のアルコールアルコキシレートまたは混合物。
【請求項４】  ｍが平均値  ０．５〜４を有する、請求項１から３までのいずれか１項に記載のアルコールアルコキシレートまたは混合物。
【請求項５】  式（ＩＩ）
【化２】
2003530368.tif 000002
［式中、Ｒ３は分枝または非分枝のＣ４〜Ｃ２２−アルキルであり、
Ｒ４はＣ３〜Ｃ４−アルキルであり、
ｐは平均値１〜５０であり、
ｑは平均値０．５〜２０である］のアルコールアルコキシレート、またはＲ３が分枝のアルキル基である、一般式（ＩＩ）の少なくとも一つのアルコールアルコキシレート ５〜９５質量％と、Ｒ３が同数の炭素原子を有する非分枝のアルキル基である、相当するアルコールアルコキシレート ５〜９５質量％との混合物。
【請求項６】  Ｒ３が分枝または非分枝のＣ８〜Ｃ１５−アルキルであるか、あるいは、Ｒ４がプロピルであり、かつｑは平均値０．５〜４を有する、請求項５に記載のアルコールアルコキシレート。
【請求項７】  請求項１から６までのいずれか１項に記載のアルコールアルコキシレートまたは混合物を製造する方法において、一般式Ｒ１−ＯＨまたはＲ３−ＯＨのアルコールか、または相当する分枝および非分枝のアルコールの混合物を、場合によってはＣ３〜Ｃ６−アルキレンオキシドと反応させ、その後にエチレンオキシドと反応させ、引き続いて場合によってはＣ３〜Ｃ４−アルキレンオキシドと反応させ、その後にＣ５〜６−アルキレンオキシドと反応させることを特徴とする、請求項１から６までのいずれか１項に記載のアルコールアルコキシレートまたは混合物を製造する方法。
【請求項８】  薬剤の全量に対して、請求項１から６までのいずれか１項に記載のアルコールアルコキシレートまたはその混合物  ０．１〜４０質量％を含有する、洗浄剤または清浄化剤。
【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】  オリゴマー性パラフェニレン化合物であって、式：
Ｒ1 −（Ａｒi ) n −Ｒ2
（式中
添字ｎは、５〜１５の整数であり；
添字ｉは、１〜ｎの整数であってＲ1 からの下流の位置を示し；
各々のＡｒは、置換又は未置換アリール基であり；
Ｒ1 及びＲ2 は、各々、Ｒ1 及びＲ2 が水素である対応する化合物の溶解性と比較して、非極性溶媒中でのパラフェニレン化合物の溶解性を増加させる置換基である。
但し、Ａｒi 基は、１，４−パラフェニレン様式で一緒に連結している。）
を有する化合物。
【請求項２】  ｎが５〜９の整数である、請求項１記載の化合物。
【請求項３】  前記Ａｒi 基が、未置換フェニレン及び１〜４のフルオロ置換基を有するフェニレンから独立に選択される、請求項１記載の化合物。
【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】
病原体による感染症または癌を治療または予防するための薬剤であって、
(i)   機能性vhs遺伝子またはその機能性等価体を欠失しており、
(ii)  機能性UL43遺伝子またはその機能性等価体を含んでいる、
弱毒化ヘルペスウイルスを含み、ここで該ウイルスは樹状細胞に感染して免疫応答を刺激する、前記薬剤。
【請求項２】
前記ウイルスが単純ヘルペスウイルス１または２である、請求項１に記載の薬剤。
【請求項３】
前記ウイルスがICP47をコードする機能性遺伝子を欠失している、請求項１または２に記載の薬剤。
【請求項４】
前記ウイルスが、転写活性化活性を欠くタンパク質をコードするVMW65遺伝子またはその機能性等価体を有している、請求項１〜３のいずれか１項に記載の薬剤。
【請求項５】
前記ウイルスが少なくとも１つの機能性前初期遺伝子を欠失している、請求項１〜４のいずれか１項に記載の薬剤。
【請求項６】
前初期遺伝子がICP0、ICP4、ICP22、ICP27またはその機能性等価体をコードする遺伝子から選択される、請求項５に記載の薬剤。
【請求項７】
前記ウイルスがICP27をコードする機能性遺伝子とICP4をコードする機能性遺伝子の両方を欠失している、請求項５または６に記載の薬剤。
【請求項８】
前記ウイルスがICP27をコードする機能性遺伝子とICP4をコードする機能性遺伝子の両方を欠失しており、かつ、転写活性化活性を欠くタンパク質をコードするVMW65遺伝子またはその機能性等価体を有している、請求項４〜７のいずれか１項に記載の薬剤。
【請求項９】
前記ウイルスがICP0、ICP4、ICP22およびICP27をコードする機能性遺伝子類を欠失している、請求項５〜８のいずれか１項に記載の薬剤。
【請求項１０】
前記ウイルスが機能性ICP34.5遺伝子またはその機能性等価体をさらに欠失している、請求項１〜９のいずれか１項に記載の薬剤。
【請求項１１】
前記ウイルスが機能性ICP34.5遺伝子および機能性ICP47遺伝子を欠失している、請求項１０に記載の薬剤。
【請求項１２】
前記ウイルスが異種遺伝子を含んでいる、請求項１〜１１のいずれか１項に記載の薬剤。
【請求項１３】
前記異種遺伝子が、樹状細胞における該異種遺伝子の発現を可能にする制御配列に機能的に連結されている、請求項１２に記載の薬剤。
【請求項１４】
前記異種遺伝子が治療用のポリペプチドをコードしている、請求項１２または１３に記載の薬剤。
【請求項１５】
前記異種遺伝子が、腫瘍細胞またはその表面上における発現レベルが非腫瘍細胞と比較して増加しているポリペプチド；腫瘍細胞またはその表面上に存在するが非腫瘍細胞には存在しないポリペプチド；免疫応答を改変することができるポリペプチド；および寄生虫、ウイルスまたは細菌に由来するポリペプチド；から選択されるポリペプチドをコードしている、請求項１２〜１４のいずれか１項に記載の薬剤。
【請求項１６】
前記ウイルスが２つ以上の異種遺伝子を含んでいる、請求項１２〜１５のいずれか１項に記載の薬剤。
【請求項１７】
前記ウイルスが免疫応答をモジュレートすることができる１つ以上の異種遺伝子を含んでいる、請求項１〜１６のいずれか１項に記載の薬剤。
【請求項１８】
前記異種遺伝子がケモカイン、サイトカインまたは共刺激分子をコードしている、請求項１７に記載の薬剤。
【請求項１９】
請求項１〜１８のいずれか1項に記載の弱毒化ヘルペスウイルスにex vivo感染させた樹状細胞を含む、病原体による感染症または癌を治療または予防するための薬剤。
【請求項２０】
前記樹状細胞がヒト樹状細胞である、請求項１〜１９のいずれか１項に記載の薬剤。
【請求項２１】
注射、注入、皮内もしくは経皮経路、またはバイオリスティック手段により投与するためのものである、請求項１〜２０のいずれか１項に記載の薬剤。
【請求項２２】
前記病原体による感染症がウイルス感染症である、請求項１〜２１のいずれか１項に記載の薬剤。
【請求項２３】
前記ウイルス感染症がHSV1感染またはHSV2感染である、請求項２２に記載の薬剤。
【手続補正書】
【提出日】平成20年4月4日(2008.4.4)
【手続補正１】
【補正対象書類名】明細書
【補正対象項目名】発明の名称
【補正方法】変更
【補正の内容】
【発明の名称】固体薬剤又は栄養補助食品のための経口送達配合物
【手続補正２】
【補正対象書類名】明細書
【補正対象項目名】特許請求の範囲
【補正方法】変更
【補正の内容】
【特許請求の範囲】
【請求項１】  経口送達配合物であって、
基剤液体及び１種以上の添加剤の混合物を含み、前記１種以上の添加剤が、個々に又は組合せで、増粘剤、界面活性剤及び潤滑剤の性質を有し、経口送達配合物及び使用者が飲み込むべき固体物が使用者に一緒に投与されて飲み込まれる場合には、基剤液体及び固体物が一緒に投与されて飲み込まれる場合と比較して、固体物が使用者の舌、喉、口蓋又は食道表面にとどまりにくいか又ははりつきにくいように、経口送達配合物の粘度及び湿潤性が前記基剤液体より増大するように選択されて、十分な濃度で経口送達配合物中に存在し、かつ経口送達配合物の粘度が３６．５℃において１０乃至２０cPである経口送達配合物。
【請求項２】  使用者による丸薬、キャップレット、カプセル又は錠剤の嚥下を容易にする液体経口送達配合物であって、前記経口送達配合物が、
基剤液体及び１種以上の添加剤の混合物を含み、前記１種以上の添加剤が、単独又は組合せで、増粘剤、界面活性剤及び潤滑剤の性質を有し、前記経口送達配合物が以下の性質：
(1)基剤液体の密度より大きい密度、
(2)基剤液体の表面張力より小さい表面張力、
(3)基剤液体の粘度より大きい粘度で、３６．５℃において１０乃至２０cPの粘度、
(4)基剤液体の湿潤性より大きい湿潤性、
(5)基剤液体の潤滑性より大きい潤滑性、及び
(6)基剤液体の界面張力より低い界面張力、
を有し、経口送達配合物及び丸薬、キャップレット、カプセル又は錠剤が使用者に一緒に投与されて飲み込まれる場合には、基剤液体及び丸薬、キャップレット、錠剤又はカプセルが一緒に投与されて飲み込まれる場合と比較して、丸薬、キャップレット、カプセル又は錠剤が使用者の舌、喉、口蓋又は食道表面にとどまりにくいか又ははりつきにくいように液体により湿らされて飲み込まれるように選択され、十分な濃度で経口送達配合物中に存在する経口送達配合物。
【請求項３】  前記基剤液体が水を含む請求項２記載の経口送達配合物。
【請求項４】  前記基剤液体が果汁を含む請求項２記載の経口送達配合物。
【請求項５】  前記１種以上の添加剤が多糖類及びポリソルベート界面活性剤を含む請求項２記載の経口送達配合物。
【請求項６】  前記多糖類が、グアー、イナゴマメ、タマリンド、アラビアゴム、カラヤゴム、トラガカント、寒天、アルギン、カラゲナン、キサンタン、セルロース、ペクチン、カルボキシル化アルギン、カルボキシメチルセルロース、ヒドロキシプロピルメチルセルロース、カルボキシル化ペクチン、カルボキシル化キサンタン、硫酸化カラゲナン、硫酸化フルセララン及びゲランからなる群から選択される請求項２記載の経口送達配合物。
【請求項７】  前記１種以上の添加剤が水溶性セルロースポリマー及びポリオキシエチレンソルビタン脂肪酸エステルを含む請求項２記載の経口送達配合物。
【請求項８】  前記１種以上の添加剤がカルボキシメチルセルロース及びポリオキシエチレンソルビタンモノオレエートを含む請求項２記載の経口送達配合物。
【請求項９】  前記経口送達配合物が更に１種以上の甘味料及び香料を含む請求項２記載の経口送達配合物。
【請求項１０】  請求項１記載の経口送達配合物及び溶解していない丸薬、キャップレット、カプセル又は錠剤を含む配合物。
【請求項１１】  請求項２記載の経口送達配合物及び溶解していない丸薬、キャップレット、カプセル又は錠剤を含む配合物。
【請求項１２】  (a)基剤液体、カルボキシメチルセルロース及びポリオキシエチレンソルビタンモノオレエートの混合物であって、３６．５℃において１０乃至２０cPの粘度を有する混合物、及び(b) 溶解していない丸薬、キャップレット、カプセル又は錠剤、を含む配合物。
【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  真菌感染症治療のための薬物の製造法における、１つ以上の真菌ストレスタンパク質のエピトープに特異的な抗体またはその抗原結合フラグメントならびにポリエン抗真菌薬およびエキノカンジン抗真菌薬からなる群の少なくとも１つを含む抗真菌薬を含む組成物の使用であって、前記真菌に起因する真菌感染症が前記抗真菌薬自体に耐性を示す、使用。
【請求項２】  前記抗体がＣａｎｄｉｄａ属またはＴｏｒｕｌｏｐｓｉｓ属のメンバー由来の熱ショックタンパク質に特異的である、請求項１に記載の組成物の使用。
【請求項３】  前記熱ショックタンパク質がＣａｎｄｉｄａ  ａｌｂｉｃａｎｓ由来のｈｓｐ９０を含む、請求項２に記載の組成物の使用。
【請求項４】  前記抗体またはその抗原結合フラグメントが配列番号１の配列を含むエピトープに特異的である、請求項１から請求項３のいずれか１項に記載の組成物の使用。
【請求項５】  前記抗体が配列番号２に記載の配列を含む、請求項４に記載の組成物の使用。
【請求項６】  前記ポリエン抗真菌薬がアンホテリシンＢまたはアンホテリシンＢの誘導体を含む、請求項１から請求項５のいずれか１項に記載の組成物の使用。
【請求項７】  前記エキノカンジン抗真菌薬がアニデュラフンジン（Ａｎｉｄｕｌａｆｕｎｇｉｎ）（ＬＹ３０３３６６）を含む、請求項１から請求項６のいずれか１項に記載の組成物の使用。
【請求項８】  前記真菌感染症が、Ｍｕｃｏｒｍｙｃｏｓｉｓ、Ｂｌａｓｔｏｍｙｃｏｓｉｓ、Ｃｏｃｃｉｄｉｏｉｄｏｍｙｃｏｓｉｓ、またはＰａｒａｃｏｃｃｉｄｉｏｉｄｏｍｙｃｏｓｉｓを含む群から選択される少なくとも１つであるか、前記真菌感染症が、Ｃａｎｄｉｄａ、Ｃｒｙｐｔｏｃｏｃｃｕｓ、Ｈｉｓｔｏｐｌａｓｍａ、Ａｓｐｅｒｇｉｌｌｕｓ、またはＴｏｒｕｌｏｐｓｉｓ生物を含む群から選択される少なくとも１つの生物に起因する、請求項１から請求項７のいずれか１項に記載の組成物の使用。
【請求項９】  前記抗体または抗原結合フラグメントが検出可能な標識で標識されている、請求項４または請求項５のいずれか１項に記載の組成物の使用。
【請求項１０】  前記抗体または抗原結合フラグメントがエフェクター分子と結合している、請求項４、請求項５、または請求項９のいずれか１項に記載の組成物の使用。
【請求項１１】  真菌感染症治療に使用するための、１つ以上の真菌ストレスタンパク質のエピトープに特異的な抗体またはその抗原結合フラグメントならびにポリエン抗真菌薬およびエキノカンジン抗真菌薬からなる群の任意の１つを含む抗真菌薬を含み、前記真菌に起因する真菌感染症が前記抗真菌薬自体に耐性を示す、キット。
【請求項１２】  配列番号１に示される配列からなるエピトープに特異的な抗体または抗原結合フラグメント。
【請求項１３】  配列番号２に示される配列を含む抗体。
【請求項１４】  抗体または抗原結合フラグメントが検出可能な標識で標識されていることを特徴とする、請求項１２に記載の抗体もしくは抗原結合フラグメント、または請求項１３に記載の抗体。
【請求項１５】  抗体または抗原結合フラグメントがエフェクター分子と結合していることを特徴とする、請求項１２もしくは１４に記載の抗体もしくは抗原結合フラグメント、または請求項１３もしくは１４に記載の抗体。
【請求項１６】  １つ以上の真菌感染症診断用の診断薬調製における、請求項１２、１４、１５のいずれかに記載の抗体もしくは抗原結合フラグメント、または請求１３から１５のいずれかに記載の抗体の使用。
【請求項１７】  前記診断薬がキットにおいて提供される、請求項１６に記載の使用。
【請求項１８】  前記キットには、１つ以上の真菌感染症診断用の説明書が含まれる、請求項１７に記載の使用。
【請求項１９】  請求項１７または請求項１８に記載の診断用キット。
【請求項２０】  請求項１２または１３に記載の抗体または抗原結合フラグメントおよびポリエン抗真菌薬およびエキノカンジン抗真菌薬からなる群の少なくとも１つの抗真菌薬を含む組成物。
【請求項２１】  真菌感染症治療における同時使用、個別使用、または逐次使用のための、請求項１２または１３に記載の抗体または抗原結合フラグメントならびにポリエン抗真菌薬およびエキノカンジン抗真菌薬からなる群の少なくとも１つを含む抗真菌薬を含む、組み合わせ調製物。
【請求項２２】  前記ポリエン抗真菌薬がアンホテリシンＢまたはアンホテリシンＢの誘導体を含む、請求項２０項に記載の組成物または請求項２１に記載の組み合わせ調製物。
【請求項２３】  前記エキノカンジン抗真菌薬がＬＹ３０３３６６を含む、請求項２０項に記載の組成物または請求項２１に記載の組み合わせ調製物。
【請求項２４】  真菌感染症治療用の、請求項２０、２２、２３のいずれか１項に記載の組成物。
【請求項２５】  前記真菌感染症が、Ｃａｎｄｉｄａ、Ｃｒｙｐｔｏｃｏｃｃｕｓ、Ｈｉｓｔｏｐｌａｓｍａ、Ａｓｐｅｒｇｉｌｌｕｓ、Ｔｏｒｕｌｏｐｓｉｓ、Ｍｕｃｏｒｍｙｃｏｓｉｓ、Ｂｌａｓｔｏｍｙｃｏｓｉｓ、Ｃｏｃｃｉｄｉｏｉｄｏｍｙｃｏｓｉｓ、またはＰａｒａｃｏｃｃｉｄｉｏｉｄｏｍｙｃｏｓｉｓに起因する、請求項２４に記載の組成物または請求項２１から２３のいずれか１項に記載の組み合わせ調製物。
【請求項２６】  前記真菌感染症が前記抗真菌薬自体に耐性を示す、請求項２４もしくは２５に記載の組成物または請求項２１から２３もしくは２５のいずれか１項に記載の組み合わせ調製物。
【請求項２７】  ヒトまたは動物の身体の真菌感染症の治療法で使用するための、請求項２０から２６のいずれか１項に記載の組成物または請求項２１から２３、２５もしくは２６のいずれか１項に記載の組み合わせ調製物。
【請求項２８】  
請求項２０から２７のいずれか１項に記載の組成物または請求項２１から２３もしくは２５から２７のいずれか１項に記載の組み合わせ調製物を使用することを特徴とする、ヒトまたは動物の身体の真菌感染症を治療するための薬物の製造法。
【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  把手と、
この把手に取り付けられた細長い柄と、
この細長い柄の表面において縫合糸を特定箇所で捕捉するように構成された鋭利チップとを備えてなる縫合装置。
【請求項２】  前記鋭利チップが、縫合糸を特定箇所で捕捉するように構成された開口を含んでいる請求項１に記載の縫合装置。
【請求項３】  開口の少なくとも一部が、縫合糸を特定箇所に食い込ませて保持するような寸法にされている請求項２に記載の縫合装置。
【請求項４】  前記開口が、テーパー状形態を有している中央部分を備えている請求項３に記載の縫合装置。
【請求項５】  前記開口が、テーパー状開口からなる請求項２に記載の縫合装置。
【請求項６】  前記開口が、細長い開口からなる請求項２に記載の縫合装置。
【請求項７】  前記の細長い開口の少なくとも一部が、湾曲している請求項６に記載の縫合装置。
【請求項８】  前記鋭利チップが、開口と、
ロック位置およびロック解除位置を少なくとも有しているロック機構とを含み、そのロック機構が、前記ロック位置にあるときに縫合糸を前記開口の中に捕捉するように構成されている請求項１に記載の縫合装置。
【請求項９】  縫合糸が、ある長さの材料からなり、かつ、前記開口は、縫合糸が前記開口を長さ方向に通過することができるように構成されている請求項２〜８のいずれかに記載の縫合装置。
【請求項１０】  前記開口が、縫合糸を前記開口の中へ側方装着することができるようにさらに構成されている請求項９に記載の縫合装置。
【請求項１１】  前記鋭利チップが、縫合糸を挿入することのできる開口を含み、かつ、前記開口が、縫合糸を前記開口の中へ側方装着することができるように構成されている請求項１に記載の縫合装置。
【請求項１２】  前記鋭利チップが、鉤形の形態を有している請求項１に記載の縫合装置。
【請求項１３】  前記鋭利チップが、前記の柄に対して特定方向へ角度を付けて曲げられている請求項１に記載の縫合装置。
【請求項１４】  前記鋭利チップが、柄の遠位端で少なくとも１つのらせん状ループにより構成されている請求項１に記載の縫合装置。
【請求項１５】  前記鋭利チップは、その遠位先端が柄の近位端をほぼ指し示すように曲げられている請求項１に記載の縫合装置。
【請求項１６】  前記鋭利チップは、柄の遠位端に関して少なくとも一部が湾曲されている請求項１に記載の縫合装置。
【請求項１７】  前記鋭利チップが、ある角度で、かつ、遠位端の一方側部へ延出している請求項１に記載の縫合装置。
【請求項１８】  前記鋭利チップは、遠位端から少なくとも一部が凹状形態で前方へ延出している請求項１に記載の縫合装置。
【請求項１９】  前記鋭利チップが、前記遠位端から実質的にまっすぐにかつ前方へ延出している請求項１に記載の縫合装置。
【請求項２０】  前記鋭利チップが、前記の柄に対して選択的に移動することのできるものである請求項１に記載の縫合装置。
【請求項２１】  前記鋭利チップが、前記の柄から選択的に取り外すことのできるものである請求項１に記載の縫合装置。
【請求項２２】  把手と、
細長い柄であって前記把手にこの柄の近位端で取り付けられた細長い柄と、
取り付けられた縫合糸を有しており前記の細長い柄の遠位端で取り外すことのできる針とを備えてなる縫合装置。
【請求項２３】  前記遠位端が、鉤形の形態を有している請求項２２に記載の縫合装置。
【請求項２４】  前記遠位端が、前記の柄に対して特定方向へ角度を付けて曲げられている請求項２２に記載の縫合装置。
【請求項２５】  前記遠位端が、柄の遠位端で少なくとも１つのらせん状ループにより構成されている請求項２２に記載の縫合装置。
【請求項２６】  前記遠位端は、その遠位先端が柄の近位端をほぼ指し示すように曲げられている請求項２２に記載の縫合装置。
【請求項２７】  前記遠位端は、柄の遠位端に関して少なくとも一部が湾曲されている請求項２２に記載の縫合装置。
【請求項２８】  前記遠位端が、ある角度で、かつ、その遠位端の一方側部へ延出している請求項２２に記載の縫合装置。
【請求項２９】  前記遠位端は、遠位端から少なくとも一部が凹状形態で前方へ延出している請求項２２に記載の縫合装置。
【請求項３０】  前記遠位端が、前記遠位端から実質的にまっすぐにかつ前方へ延出している請求項２２に記載の縫合装置。
【請求項３１】  前記の針および縫合糸が、その縫合糸を前記縫合装置の一部に糸通しすることによって前記縫合装置に取り外し可能に取り付けられている請求項２２に記載の縫合装置。
【請求項３２】  前記の針および縫合糸が、その縫合糸を前記縫合装置の少なくとも遠位端と柄とに糸通しすることによって前記縫合装置に取り外し可能に取り付けられている請求項２２に記載の縫合装置。
【請求項３３】  前記の針および縫合糸が、前記縫合装置の中に側方装着されている請求項２２に記載の縫合装置。
【請求項３４】  把手と、
細長い柄であって前記把手にこの柄の近位端で取り付けられた細長い柄と、
この細長い柄の遠位端における鋭利チップと、
この鋭利チップに隣接して配置され、前記鋭利チップを組織に貫通させやすくするために、前記鋭利チップに対して移動するように構成されている組織支持装置とを備えてなる縫合装置。
【請求項３５】  縫合糸は、前記鋭利チップに接続されており、かつ、その鋭利チップが組織を貫通するように、その鋭利チップとともに移動する請求項３４に記載の縫合装置。
【請求項３６】  縫合糸は、前記組織支持装置に接続されており、かつ、前記鋭利チップが組織から引っ込められるように前記鋭利チップに係合すべく配置されている請求項３４に記載の縫合装置。
【請求項３７】  把手と、
この把手に取り付けられた細長い柄と、
この細長い柄の表面において縫合糸に係合するように構成された鋭利チップと、
ロック位置およびロック解除位置を少なくとも有しているロック機構とを備えてなり、そのロック機構が、前記ロック位置にあるときに縫合糸を特定位置に保持するように構成されている縫合装置。
【請求項３８】  前記ロック機構が、縫合糸を取り込むための、かつ、縫合糸を鋭利チップに対して規制的に調整するための、少なくとも１つの部分的閉鎖位置を有している請求項３７に記載の縫合装置。
【請求項３９】  把手と、
この把手に取り付けられた細長い柄と、
この細長い柄の表面における鋭利チップとを備えてなり、
その鋭利チップが、縫合糸を前記装置に側方装着することができるように構成された開口を有している縫合装置。
【請求項４０】  前記開口が、テーパー状開口からなる請求項３９に記載の縫合装置。
【請求項４１】  把手と、
この把手に取り付けられた細長い柄と、
この細長い柄の表面において、縫合処置の間に組織に穴を明けるように構成された穴明け部分を有している鋭利チップと、
この鋭利チップに接続された縫合糸とを備えてなり、その縫合糸が、前記鋭利チップから外方へ延出して前記縫合糸を前記鋭利チップに対して把持しかつ用手操作することのできるような縫合糸部分を有しており、この縫合糸部分が、前記穴明け部分により穴の明けられた組織を通して鋭利チップによって支持されるように配置されている縫合装置。